(57)【要約】【課題】部品点数を増加させることなく、液晶表示パネルを含む表示部をユーザが見やすい傾斜角度に固定することが可能な表示部の取付構造を提供する。【解決手段】操作部３と、表示部５と、表示部５を操作部３に取り付けるための取付部６とを備えた機器における表示部５の取付構造において、表示部５の筐体５１の側面には、軸部５３と、軸部５３の周囲に円弧状に所定の角度間隔で少なくとも３つ以上設けられ、底部５４ａと傾斜した側面部５４ｂとを有する丸形形状の凹部５４とが一体的に形成されている。また、取付部６の表示部取付用凹部６１の側面には、筐体５１の軸部５３を回動可能に支持するための孔部６３と、筐体５１の丸形形状の凹部５４に係合する丸形形状の先端部を有する凸部６４ａを含むストッパ部６４とが一体的に形成されている。そして、凸部６４ａを有するストッパ部６４は、取付部６の側面にストッパ部６４を囲むように表面から裏面に貫通するコの字状の切り込み６５を設けることにより、筐体５１の凹部５４に対する係合方向に撓み変形可能に構成されている。【選択図】図９
2005189514.tif 000002
【特許請求の範囲】
【請求項１】
機器の操作設定を行う操作部と、前記操作部に設けられ、液晶表示パネルを有する樹脂製の筐体を含む表示部と、前記表示部を前記操作部に取り付けるための表示部取付用凹部を含む樹脂製の取付部とを備えた、インクジェットプリンタ部とスキャナ部とを含む複合機における前記液晶表示パネルを有する表示部の取付構造において、
前記表示部の樹脂製の筐体には、前記筐体の側面に設けられた軸部と、前記軸部の周囲に円弧状に所定の角度間隔で少なくとも３つ以上設けられ、底部から入口側に向かって開口径が徐々に大きくなる傾斜した側面部を有する丸形形状の凹部とが、一体的に形成されており、
前記樹脂製の取付部の表示部取付用凹部の側面には、前記表示部の筐体の軸部を回動可能に支持するための孔部と、前記表示部の筐体の丸形形状の凹部に係合する丸形形状の先端部を有する凸部を含むストッパ部とが一体的に形成されており、
前記丸形形状の凸部を有するストッパ部は、前記樹脂製の取付部の側面に、前記ストッパ部を囲むように表面から裏面に貫通するコの字状の切り込みを設けることにより、前記表示部の筐体の凹部に対する係合方向に撓み変形可能に構成されている、表示部の取付構造。
【請求項２】
機器の操作設定を行う操作部と、
前記操作部に設けられ、表示パネルを有する筐体を含む表示部と、
前記表示部を前記操作部に取り付けるための取付部とを備え、
前記表示部の筐体には、前記筐体の側面に設けられた軸部と、前記軸部の周囲に円弧状に所定の角度間隔で形成された少なくとも３つ以上の凹部とが、一体的に形成されており、
前記取付部の側面には、前記表示部の筐体の軸部を回動可能に支持するための孔部と、前記表示部の筐体の凹部に係合する凸部を有するストッパ部とが設けられている、表示部の取付構造。
【請求項３】
前記凸部を有するストッパ部は、前記取付部の側面に、前記ストッパ部を囲むように表面から裏面に貫通するコの字状の切り込みを設けることにより、前記表示部の筐体の凹部に対する係合方向に撓み変形可能に構成されている、請求項２に記載の表示部の取付構造。
【請求項４】
前記表示部の筐体の凹部は、底部から入口側に向かって開口径が徐々に大きくなる丸形形状を有しており、
前記表示部の筐体の凹部に係合する前記ストッパ部の凸部の先端部は、丸形形状を有している、請求項２または３に記載の表示部の取付構造。
【請求項５】
前記凸部を有するストッパ部は、前記取付部の側面に一体的に形成されている、請求項２〜４のいずれか１項に記載の表示部の取付構造。
【発明の詳細な説明】
【技術分野】
【０００１】
本発明は、表示部の取付構造に関し、特に、表示パネルを有する表示部の取付構造に関する。
【背景技術】
【０００２】
従来、液晶表示パネルなどの表示パネルを有する表示部の取付構造として、表示部を、表示部取付部に対して寝かせた状態（０度の状態）と、最大に立ち上げた状態（たとえば、９０度の状態）とで固定できるように設けられた表示部の取付構造が知られている。しかし、この従来の表示部の取付構造では、ユーザは、表示部をユーザの好みの傾斜角度で固定することができないので、ユーザ自身が表示部を見やすい位置に移動しなければならないという不都合があった。
【０００３】
そこで、従来、上記の不都合を解消するために、表示部を任意の傾斜角度で固定することが可能な構造が提案されている（たとえば、特許文献１および特許文献２参照）。
【０００４】
上記特許文献１には、液晶表示パネルが取り付けられた表示ケースに回動力を与えるためのトーションスプリング（ねじりバネ）と、表示ケースの回動力を抑制するためのダンパ機構と、回動する表示ケースを任意の角度で本体ケースに固定するための、操作部材により着脱操作されるストッパと、ストッパを係合方向に付勢する２つの圧縮コイルスプリングとを備えた電子機器が開示されている。この特許文献１に開示された構造では、トーションスプリングによる回動力と、ダンパ機構による回動抑止力とにより、表示ケースは低速状態で円滑に回動するとともに、操作部材を介して表示ケースにストッパを係合することにより、表示ケースは任意の傾斜角で本体ケースに固定される。
【０００５】
また、上記特許文献２には、チルト機構とロック機構とからなるチルトロック機構を備えた液晶表示パネルが開示されている。この特許文献２のチルト機構は、液晶パネルを支持するブラケットを回動自在に支持するためのシャフトおよびリングと、液晶パネルを所定の傾斜角に維持するためのスペーサおよびウェーブワッシャと、シャフトのねじ穴に螺合するネジとを含んでいる。また、ロック機構は、ストッパ片と、ブラケットに設けられた円弧状摺動片の長孔を介してストッパ片に螺合されるロックネジと、ロックネジを止めるための２つのナットとを含んでいる。このようなチルトロック機構により、液晶パネルを任意の傾斜角でロックすることが可能となる。
【特許文献１】実開平２−１０５７６号公報
【特許文献２】特開２００２−２５０９１０号公報
【発明の開示】
【発明が解決しようとする課題】
【０００６】
上記特許文献１では、液晶表示パネルが取り付けられた表示ケースをユーザの見やすい任意の角度位置に固定するための構造を得るために、トーションスプリングとオイルダンパ機構とストッパと２つの圧縮コイルスプリングとの多くの部品を設ける必要があるため、構造が複雑になるとともに、部品点数が増加するという問題点がある。
【０００７】
また、上記特許文献２では、液晶パネルを任意の角度に傾斜させるとともに、その角度においてロックするための構造を得るために、チルト機構としてシャフトとリングとスペーサとウェーブワッシャとネジとを設けるとともに、ロック機構としてロックネジとストッパ片と２つのナットとを設ける必要があるため、上記特許文献と同様、構造が複雑になるとともに、部品点数が増加するという問題点がある。
【０００８】
この発明は、上記のような課題を解決するためになされたものであり、部品点数を増加させることなく、簡単な構造で、表示部をユーザが見やすい傾斜角度に固定することが可能な表示部の取付構造を提供することを目的とする。
【課題を解決するための手段および発明の効果】
【０００９】
上記目的を達成するために、この発明の第１の局面による表示部の取付構造は、機器の操作設定を行う操作部と、操作部に設けられ、液晶表示パネルを有する樹脂製の筐体を含む表示部と、表示部を操作部に取り付けるための表示部取付用凹部を含む樹脂製の取付部とを備えた、インクジェットプリンタ部とスキャナ部とを含む複合機における液晶表示パネルを有する表示部の取付構造において、表示部の樹脂製の筐体には、筐体の側面に設けられた軸部と、軸部の周囲に円弧状に所定の角度間隔で少なくとも３つ以上設けられ、底部から入口側に向かって開口径が徐々に大きくなる傾斜した側面部を有する丸形形状の凹部とが、一体的に形成されており、樹脂製の取付部の表示部取付用凹部の側面には、表示部の筐体の軸部を回動可能に支持するための孔部と、表示部の筐体の丸形形状の凹部に係合する丸形形状の先端部を有する凸部を含むストッパ部とが一体的に形成されており、丸形形状の凸部を有するストッパ部は、樹脂製の取付部の側面に、ストッパ部を囲むように表面から裏面に貫通するコの字状の切り込みを設けることにより、表示部の筐体の凹部に対する係合方向に撓み変形可能に構成されている。
【００１０】
この第１の局面による表示部の取付構造では、上記のように、表示部の樹脂製の筐体の軸部の周囲に円弧状に所定の角度間隔で少なくとも３つ以上の丸形形状の凹部を設けるとともに、樹脂製の取付部の表示部取付用凹部の側面に、表示部の筐体の丸形形状の凹部に係合する丸形形状の先端部を有する凸部を含むストッパ部を設けることによって、表示部を取付部に対して回動させながら、表示部の円弧状に所定の角度間隔で形成された凹部のうちの１つをストッパ部の凸部に係合させれば、容易に、所定の角度傾いた位置で、液晶表示パネルを含む表示部を固定することができる。これにより、凹部と凸部との係合を利用した簡単な構造で液晶表示パネルを含む表示部をユーザが見やすい傾斜角度に固定することができる。また、表示部の円弧状に所定の角度間隔で形成された凹部を表示部の筐体と一体的に形成するとともに、ストッパ部の凸部を取付部の表示部取付用凹部の側面に一体的に形成することによって、表示部の凹部およびストッパ部の凸部を設けたとしても部品点数が増加することがない。これにより、部品点数を増加させることなく、液晶表示パネルを含む表示部をユーザが見やすい傾斜角度に固定することができる。
【００１１】
また、第１の局面では、凸部を有するストッパ部を、取付部の側面に、ストッパ部を囲むように表面から裏面に貫通するコの字状の切り込みを設けることにより、表示部の筐体の凹部に対する係合方向に撓み変形可能に構成することによって、表示部を回動させることによりストッパ部の凸部と表示部の凹部との係合を解除して表示部の傾斜角度を変更する場合に、ストッパ部の凸部を表示部の凹部との係合を解除する方向に撓ませることができるので、容易に、表示部の傾斜角度を変更することができる。また、表示部の筐体の凹部を、底部から入口側に向かって開口径が徐々に大きくなる傾斜した側面部を有する丸形形状に形成するとともに、ストッパ部の凸部の先端部を丸形形状に形成することによって、表示部を回動させることによりストッパ部の凸部と表示部の凹部との係合を解除して表示部の傾斜角度を変更する場合に、凹部の傾斜した側面に沿って凸部の先端部が移動することができるので、容易に、かつ、滑らかに、ストッパ部の凸部と表示部の凹部との係合を解除することができる。これによっても、容易に、表示部の傾斜角度を変更することができる。
【００１２】
この発明の第２の局面による表示部の取付構造は、機器の操作設定を行う操作部と、操作部に設けられ、表示パネルを有する筐体を含む表示部と、表示部を操作部に取り付ける
ための取付部とを備え、表示部の筐体には、筐体の側面に設けられた軸部と、軸部の周囲に円弧状に所定の角度間隔で形成された少なくとも３つ以上の凹部とが、一体的に形成されており、取付部の側面には、表示部の筐体の軸部を回動可能に支持するための孔部と、表示部の筐体の凹部に係合する凸部を有するストッパ部とが設けられている。
【００１３】
この第２の局面による表示部の取付構造では、上記のように、表示部の筐体の軸部の周囲に円弧状に所定の角度間隔で形成された少なくとも３つ以上の凹部を設けるとともに、取付部の側面に、表示部の筐体の凹部に係合する凸部を有するストッパ部を設けることによって、表示部を取付部に対して回動させながら、表示部の円弧状に所定の角度間隔で形成された凹部のうちの１つをストッパ部の凸部に係合させれば、容易に、所定の角度傾いた位置で、表示パネルを含む表示部を固定することができる。これにより、凹部と凸部との係合を利用した簡単な構造で表示パネルを含む表示部をユーザが見やすい傾斜角度に固定することができる。また、表示部の筐体に、軸部と３つ以上の凹部とを一体的に設けることによって、軸部および３つ以上の凹部を設けたとしても部品点数が増加することがない。
【００１４】
上記第２の局面による表示部の取付構造において、好ましくは、凸部を有するストッパ部は、取付部の側面に、ストッパ部を囲むように表面から裏面に貫通するコの字状の切り込みを設けることにより、表示部の筐体の凹部に対する係合方向に撓み変形可能に構成されている。このように構成すれば、表示部を回動させることによりストッパ部の凸部と表示部の凹部との係合を解除して表示部の傾斜角度を変更する場合に、ストッパ部の凸部を表示部の凹部との係合を解除する方向に撓ませることができるので、容易に、表示部の傾斜角度を変更することができる。
【００１５】
上記第２の局面による表示部の取付構造において、好ましくは、表示部の筐体の凹部は、底部から入口側に向かって開口径が徐々に大きくなる丸形形状を有しており、表示部の筐体の凹部に係合するストッパ部の凸部の先端部は、丸形形状を有している。このように構成すれば、表示部を回動させることによりストッパ部の凸部と表示部の凹部との係合を解除して表示部の傾斜角度を変更する場合に、凹部の傾斜した側面に沿って凸部が移動することができるので、容易に、かつ、滑らかに、ストッパ部の凸部と表示部の凹部との係合を解除することができる。これによっても、容易に、表示部の傾斜角度を変更することができる。
【００１６】
上記第２の局面による表示部の取付構造において、好ましくは、凸部を有するストッパ部は、取付部の側面に一体的に形成されている。このように構成すれば、表示部の凸部を有するストッパ部を設けたとしても部品点数が増加することがない。これにより、部品点数を増加させることなく、表示パネルを含む表示部をユーザが見やすい傾斜角度に固定することができる。
【発明を実施するための最良の形態】
【００１７】
以下、本発明の実施の形態を図面に基づいて説明する。
【００１８】
図１は、本発明の一実施形態による表示部の取り付け構造を含むインクジェットプリンタ部とスキャナ部とを備えた複合機を示した斜視図である。図２は、図１に示した複合機において表示部を取付部に対して回動させた状態を示した斜視図である。図３〜図５は、図１に示した表示部の構造を説明するための図であり、図６〜図８は、図１に示した表示部の取付部の構造を説明するための図である。
【００１９】
本発明の一実施形態による表示部５の取付構造を含む複合機１００は、図１および図２に示すように、スキャナ部１と、インクジェットプリンタ部２と、スキャナ部１およびイ
ンクジェットプリンタ部２の操作設定を行う操作部３とを備えている。スキャナ部１の上面には、蓋部１ａが開閉可能に設けられている。この蓋部１ａは、スキャナ動作時に、スキャンする用紙を押さえるとともに、スキャナ内部に光が入り込まないようにするために設けられている。インクジェットプリンタ部２には、印画される用紙を供給するための給紙トレイ２ａと、印画された用紙が排出される排出トレイ２ｂとが設けられている。操作部３は、複数の操作ボタン４と、表示部５と、樹脂製の取付部６とを備えている。この複数の操作ボタン４は、複合機１００の操作設定を行う際の指示を入力するために設けられている。また、表示部５は、操作部３により操作設定される複合機１００に関する情報を表示するために設けられている。
【００２０】
また、図３に示すように、表示部５は、液晶表示パネル５２と、液晶表示パネル５２を支持する樹脂製の筐体５１とを含んでいる。なお、液晶表示パネル５２は、本発明の「表示パネル」の一例である。
【００２１】
ここで、本実施形態では、筐体５１の側面には、軸部５３と、丸形形状の凹部５４とが一体的に設けられている。この丸形形状の凹部５４は、図４に示すように、軸部５３の周囲に０度〜９０度の角度範囲で円弧状に１０度の角度間隔で合計１０個設けられている。また、凹部５４は、図５に示すように、底部５４ａから入口側に向かって開口径が徐々に大きくなる傾斜した側面部５４ｂを有している。
【００２２】
また、本実施形態では、図６〜図８に示すように、取付部６は、表示部５を操作部３に取り付けるための表示部取付用凹部６１と、スプーン状のくり抜き部６２と、孔部６３と、ストッパ部６４と、切り込み６５とを含んでいる。このスプーン状のくり抜き部６２は、図６に示すように、取付部６の表示部５が立ち上がる側の側面近傍に形成されている。また、スプーン状のくり抜き部６２は、ユーザの指を差し込み、筐体５１の側面を指で押圧することが可能なように構成されている。孔部６３は、筐体５１の軸部５３を回動可能に支持するために、図７に示すように、取付部６の側面の表面から裏面に貫通するように設けられている。また、ストッパ部６４は、図７および図８に示すように、筐体５１の丸形形状の凹部５４に係合する丸形形状の先端部を有する凸部６４ａと、凸部６４ａを支持するための撓み変形可能な支持部６４ｂとを有している。丸形形状の凸部６４ａの先端部は、筐体５１の凹部５４の丸形形状の底部５４ａと実質的に同じ曲率半径を有している。切り込み６５は、取付部６の側面に、凸部６４ａと支持部６４ｂとを囲むとともに表面から裏面に貫通するように設けられている。
【００２３】
図９〜図１１は、本発明の一実施形態による表示部の取付部に対する角度調整動作を説明するための図である。次に、図１および図９〜図１２を参照にして、本実施形態による表示部の取付部に対する角度調整動作（回動動作）について説明する。
【００２４】
まず、表示部５が操作部３に対して寝かされた状態（図１参照）である表示部５と操作部３との角度が０度の状態では、図９および図１１に示すように、ストッパ部６４の凸部６４ａと、筐体５１に設けられた１０個のうち最も左側にある凹部５４とが係合している。この状態では、実質的に同じ曲率半径を有する凸部６４ａの先端部と凹部５４の底部５４ａとが係合されているので、筐体５１に外部から一定以上の応力を加えない限り、凸部６４ａと凹部５４の係合状態が解除されることはない。次に、この状態から、ユーザが、取付部６に設けられたスプーン状のくり抜き部６２にユーザの指を差し込み、筐体５１の側面を指で押圧するとともに、手前方向に引っ張ることにより、表示部５には、操作部３から立ち上がる方向（図９における矢印Ｃの方向および図１２における矢印Ｄのうち上向き方向）の回動力が働く。これにより、ストッパ部６４の支持部６４ｂが係合状態を解除する向き（図１２における矢印Ｅのうち左方向）に撓むとともに、凸部６４ａの先端部が凹部５４の傾斜した側面部５４ｂに沿って移動するので、凸部６４ａと凹部５４の係合状
態は解除される。ユーザが筐体５１を把持しつつ回動方向に力を加え続けることにより、凸部６４ａの先端部は凹部５４間の頂上部を乗り越え、ユーザによる回動力とストッパ部６４の支持部６４ｂの撓みの復元力とによって、左から２番目の凹部５４の側面部５４ｂを滑り降り、凸部６４ａと同じ曲率半径の凹部５４の底部５４ａに係合する。この一連の動作を繰り返すことにより、凸部６４ａは凹部５４との係合および係合の解除を繰り返すことによって、０度から９０度の範囲内の任意の傾斜位置（たとえば、図１０の６０度の傾斜位置）に調整可能である。つまり、表示部５が回動している途中で筐体５１に加える力を解除することにより、表示部５をユーザの好みの傾斜角度で停止させるとともに固定することができる。また、この角度調整動作は可逆可能であり、表示部５を再び寝かせた状態にするには、表示部５の筐体５１に対して、反対方向の力を加えればよい。
【００２５】
本実施形態では、上記のように、表示部５の樹脂製の筐体５１の軸部５３の周囲に円弧状に１０度の角度間隔で合計１０個の丸形形状の凹部５４を設けるとともに、樹脂製の取付部６の表示部取付用凹部６１の側面に、表示部５の筐体５１の丸形形状の凹部５４に係合する丸形形状の先端部を有する凸部６４ａを含むストッパ部６４を設けることによって、表示部５を取付部６に対して回動させながら、表示部５の円弧状に１０度の角度間隔で形成された凹部５４のうちの１つをストッパ部６４の凸部６４ａに係合させれば、容易に、所定の角度傾いた位置で、液晶表示パネル５２を含む表示部５を固定することができる。これにより、凹部５４と凸部６４ａとの係合を利用した簡単な構造で液晶表示パネル５２を含む表示部５をユーザが見やすい傾斜角度に固定することができる。
【００２６】
また、本実施形態では、表示部５の円弧状に１０度の角度間隔で形成された凹部５４を樹脂製の表示部５の筐体５１と一体的に形成するとともに、ストッパ部６４の凸部６４ａを樹脂製の取付部６の表示部取付用凹部６１の側面に一体的に形成することによって、表示部５の凹部５４およびストッパ部６４の凸部６４ａを設けたとしても部品点数が増加することがない。これにより、部品点数を増加させることなく、液晶表示パネル５２を含む表示部５をユーザが見やすい傾斜角度に固定することができる。
【００２７】
また、本実施形態では、凸部６４ａを有するストッパ部６４を、取付部６の側面に、ストッパ部６４を囲むように表面から裏面に貫通するコの字状の切り込み６５を設けることにより、表示部５の筐体５１の凹部５４に対する係合方向に撓み変形可能に構成することによって、表示部５を回動させることによりストッパ部６４の凸部６４ａと表示部５の凹部５４との係合を解除して表示部５の傾斜角度を変更する場合に、ストッパ部６４の凸部６４ａを表示部５の凹部５４との係合を解除する方向に撓ませることができるので、容易に、表示部５の傾斜角度を変更することができる。
【００２８】
また、本実施形態では、表示部５の筐体５１の凹部５４を、底部５４ａから入口側に向かって開口径が徐々に大きくなる傾斜した側面部５４ｂを有する丸形形状に形成するとともに、ストッパ部６４の凸部６４ａの先端部を丸形形状に形成することによって、表示部５を回動させることによりストッパ部６４の凸部６４ａと表示部５の凹部５４との係合を解除して表示部５の傾斜角度を変更する場合に、凹部５４の傾斜した側面に沿って凸部６４ａが移動することができるので、容易に、かつ、滑らかに、ストッパ部６４の凸部６４ａと表示部５の凹部５４との係合を解除することができる。これによっても、容易に、表示部５の傾斜角度を変更することができる。
【００２９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内のすべての変更が含まれる。
【００３０】
たとえば、上記実施形態では、筐体の凹部を円弧状に０度から９０度の範囲内で１０度間隔で１０個設けるようにしたが、本発明はこれに限らず、０度から９０度以外の角度範囲に渡って、３つ以上の凹部を設けてもよいし、１０度以外の角度間隔で３つ以上の凹部を設けてもよい。
【００３１】
また、上記実施形態では、操作部に表示部取付用凹部を含む取付部を設けることにより表示部を取り付けたが、本発明はこれに限らず、孔部とストッパ部と切り込みとを含む取付部を操作部から突出するように一体的に設けることにより表示部を取り付けても、部品点数が増加することなく、同様の効果を得ることができる。
【００３２】
また、上記実施形態では、取付部の切り込みをコの字状に設けたが、本発明はこれに限らず、円弧状その他の形状に設けてもよい。
【００３３】
また、上記実施形態では、取付部に設けられた切り込みのコの字の長手方向を水平方向に延びるようにしたが、本発明はこれに限らず、切り込みのコの字の長手方向は、ストッパ部を囲んでいれば垂直方向や斜め方向などの他の方向に向いていてもよい。  
【００３４】
また、上記実施形態では、ストッパ部の凸部先端部および筐体の凹部は丸形形状を有するように形成したが、本発明はこれに限らず、凸部と凹部が無理なく係合および係合の解除を行うことが可能な形状でれば、台形形状などの他の形状を有するように形成してもよい。
【図面の簡単な説明】
【００３５】
【図１】本発明の一実施形態による表示部の取り付け構造を含むインクジェットプリンタ部とスキャナ部とを備えた複合機を示した斜視図である。
【図２】図１に示した複合機において表示部を取付部に対して回動させた状態を示した斜視図である。
【図３】本発明の一実施形態による複合機の表示部を示した斜視図である。
【図４】図３の矢印Ａ方向から見た状態を部分的に示した拡大図である。
【図５】図４中の２００−２００線に沿った断面図である。
【図６】本発明の一実施形態による複合機の操作部から表示部を取り外した状態を部分的に示した拡大斜視図である。
【図７】図６に示した本発明の一実施形態による取付部に設けられたストッパ部周辺の拡大図である。
【図８】図７の矢印Ｂ方向から見た図である。
【図９】本発明の一実施形態による表示部を取付部に対して寝かせた状態の表示部と取付部との係合状態を示した拡大側面図である。
【図１０】本発明の一実施形態による表示部を取付部に対して６０度回動させた時の表示部と取付部との係合状態を示した拡大側面図である。
【図１１】図１０中の３００−３００線に沿った断面図である。
【図１２】図１０中の４００−４００線に沿った断面図である。
【符号の説明】
【００３６】
１  スキャナ部
２  インクジェットプリンタ部
３  操作部
５  表示部
６  取付部
５１  筐体
５２  液晶表示パネル（表示パネル）
５３  軸部
５４  凹部
５４ａ  底部
５４ｂ  側面部
６１  表示部取付用凹部
６３  孔部
６４  ストッパ部
６４ａ  凸部
６５  切り込み
１００  複合機
【図１】
2005189514.tif 000003
【図２】
2005189514.tif 000004
【図３】
2005189514.tif 000005
【図４】
2005189514.tif 000006
【図５】
2005189514.tif 000007
【図６】
2005189514.tif 000008
【図７】
2005189514.tif 000009
【図８】
2005189514.tif 000010
【図９】
2005189514.tif 000011
【図１０】
2005189514.tif 000012
【図１１】
2005189514.tif 000013
【図１２】
2005189514.tif 000014